(57)【要約】【課題】産業廃棄物中道路の舗装やビルの解体から生ずるコンクリート廃棄物が激増の一途を辿っている。そして、このコンクリート廃棄物を破砕・選別、除去してリサイクル製品として再生できるようにした簡易且確実な破砕・選別、除去処理工程が強く要望されている現状である。【解決手段】本発明は、道路の舗装やビルの解体から生ずるコンクリート廃棄物を破砕して選別、除去する処理工程を循環式にして、一次処理工程で適宜の大きさに選別できなかったり、かつ、また金属を除去できなかった廃棄物を更に二次、三次処理工程にて完全に破砕・選別、除去できるようにしたコンクリート廃棄物の循環式破砕・選別、除去処理工法とする。【選択図】        図１
2005034761.tif 000002
【特許請求の範囲】
【請求項１】
道路の舗装や建物の解体により生ずるコンクリート（がれき類）などの廃棄物を破砕して選別し、かつコンクリートに付着する金属類を除去するコンクリート廃棄物の選別、除去処理工法を循環式に構成して、一次処理工程にて４０ｍｍ以下に選別し、４０ｍｍ以上を二次、三次処理工程にてさらに４０ｍｍ以下にし、かつ金属類・木くず等の除去できなかった廃棄物を選別、除去できるようにしたことを特徴とするコンクリート廃棄物の循環式破砕・選別、除去処理工法。
【発明の詳細な説明】
【技術分野】
【０００１】
本発明は、コンクリート廃棄物の循環式破砕・選別、除去処理工法に関し、詳しくは道路の舗装や、ビルの解体から生ずるコンクリートなどの廃棄物を破砕して、選別、除去する処理工程を循環式に構成して、一次処理工程で適宜の大きさに破砕・選別できなかったり、かつ、またコンクリートに付着している金属を除去できなかった廃棄物を、さらに二次、三次処理工程を経て完全に選別、除去できるようにしたことを特徴とするコンクリート廃棄物の循環式破砕・選別、除去処理工法に関するものである。
【背景技術】
【０００２】
近年、産業廃棄物が著しく増加すると共に、その廃棄物を埋設する最終処分場の不足が将来危惧される大きな社会的問題となって来ている。
【０００３】
特に、産業廃棄物中道路の舗装、ビルの解体から生ずるコンクリート廃棄物が激増の一途を辿っている現状にあっては、この問題点の解決が現今の一大課題となっている。
【０００４】
この改善策として、特開２００２−３５６３６０号の特許出願人は、廃棄物である木くず、紙くず、廃プラスチック、金属くず、ガラス、陶磁器くず及びガレキ類からなる群から選ばれる少なくとも１種類の廃材、篩い土砂とセメントを主材として固めたものを有効利用する。所謂、廃棄物を減量し、コンクリート二次製品に有効利用しようとする技術を研究開発した。
【０００５】
また、更に該コンクリート二次製品自体を廃棄物として使用することにより、該二次製品をリサイクルされ、ごみが出ないようにしている。
【特許文献１】特開２００２−３５６３６０
【発明の開示】
【発明が解決しようとする課題】
【０００６】
解決しようとする問題点は、現在産業廃棄物中最も大きなウエイトを占めているコンクリート廃棄物を確実に破砕・選別、除去できるコンクリート廃棄物の破砕・選別、除去処理工法である。
【課題を解決するための手段】
【０００７】
本発明は、道路の舗装やビルの解体から生ずるコンクリート廃棄物を破砕して選別、除去する処理工程を循環式にして、一次処理工程で適宜の大きさに選別できなかったり、かつ、また金属を除去できなかった廃棄物を更に二次、三次処理工程にて完全に破砕・選別、除去できるようにしたコンクリート廃棄物の循環式破砕・選別、除去処理工法とする。
【発明の効果】
【０００８】
本発明は循環式処理工法にて行うようにしたから、５００ｍｍ〜６００ｍｍ以下のコンクリート廃棄物の中一次スクリーン（グリズリーフィーダー）にて４０ｍｍ以下に選別し、かつ磁選機で金属を除去した廃棄物を一次処理工程のみにてリサイクル製品として堆積場へ迅速に移送できる。然かも、４０ｍｍ以上のコンクリート廃棄物は二次処理工程、または三次処理工程を経てリサイクル製品とすることができるように創意工夫したから、再生品の量産向上に寄与するところ洵に大である。
【発明を実施するための最良の形態】
【０００９】
コンクリート廃棄物を破砕して、選別かつ除去する処理工程を循環式にして、一次処理工程で選別、除去できなかった廃棄物を二次、三次処理工程で完全且確実に破砕・選別、除去できるよにした。
【実施例１】
【００１０】
図１、２は本発明のコンクリート廃棄物の循環式破砕・選別、除去処理工法の基本形態の全体を示す詳細説明図である。
【００１１】
図１、２、３に於て、道路の舗装やビルの解体によって生ずる５００ｍｍ乃至６００ｍｍ以下のコンクリート塊などの廃棄物をパワーショベルにて原料ホッパー１の投入口へ投入する。
【００１２】
投入された上記廃棄物は一次スクリーン、即ちグリズリーフィーダー２へ送られる。そして、該機械式振動フィーダーのグリズリーフィーダー２にて廃棄物の送出しと泥抜きが行われる。このとき４０ｍｍ以下の廃棄物のみがコンベアＢ２からメインコンベアＢ３へと移送させる。
【００１３】
メインコンベアＢ３から吊り下げ式ベルト磁選機５へ移送されて来た廃棄物は廃棄物の中のコンクリートに付着している金属類を磁選機５にて除去したのち、残りのコンクリート塊が二次スクリーンである傾斜振動篩い機６に投入される。
【００１４】
次いで、傾斜振動篩い機６にて４０ｍｍ以下になった廃棄物はコンベアＢ６にて磁選機４に搬送される。然るのち、吊り下げ式の磁選機４にて再度金属を完全に除去させたのち、４０ｍｍ以下のコンクリート廃棄物がリサイクル製品となる。そして該リサイクル製品は全量売却の堆積場へと送られて一次処理工程は終了する。
【実施例２】
【００１５】
図１、２、４に於て、原料ホッパー１の投入口から送られたコンクリート廃棄物が、一次スクリーンであるグリズリーフィーダー２で４０ｍｍ以上あるときには、ジョークラッシャー３にて大割りされる。所謂廃棄物を破砕したのち、コンベアＢ１からメインコンベアＢ３に移動されて磁選機５へ搬送される。磁選機５に搬送された廃棄物は磁選機５にてコンクリートに付着している金属を磁力によって振り出して除去する。
【００１６】
次いで、コンクリート廃棄物が傾斜振動篩い機６に送られたのち、傾斜振動篩い機６にて４０ｍｍ以下に選別したのち、４０ｍｍ以下のコンクリート廃棄物をコンベアＢ６に乗せ、吊り下げ式ベルト磁選機４にてコンクリート廃棄物から再度金属を除去する。
【００１７】
磁選機４にて金属を除去された４０ｍｍ以下のコンクリート廃棄物はコンクリートのリサイクル製品となり、堆積場へ送られて二次処理工程は終了する。
【実施例３】
【００１８】
なお、以上の二次処理工程中傾斜振動篩い機６にて選別されて、４０ｍｍ以上のコンクリート廃棄物はコンベアＢ４にてベルト磁選機７へ移送される。
【００１９】
磁選機７にてコンクリート廃棄物中の金属が除去される。しかるのち、スーパーインペラ８にて小割りして破砕する。このとき粉塵等が発生するため集塵機９にて粉塵等を抑制したのち、再生コンクリート骨材をコンベアＢ５に乗せて吊り下げ式ベルト磁選機４ａへ搬送する。
【００２０】
しかして、磁選機４ａにてコンクリートに付着している金属を除去したのち、メインコンベアＢ３に乗せて移送させ、再度吊り下げ磁選機５にて金属を除去する。
【００２１】
しかるのち、傾斜振動篩い機６にて４０ｍｍ以下に選別したのち、４０ｍｍ以下のコンクリートリサイクル製品をコンベアＢ６にて堆積場へ移送させて三次処理工程は終了する。
【産業上の利用可能性】
【００２２】
本発明の循環式破砕・選別、除去処理工法にて日々道路の舗装、ビルの解体から生ずる膨大なコンクリート塊アスファルト塊を４０ｍｍ以下に破砕・選別し、かつコンクリート塊に付着している金属類を除去する。しかして、４０ｍｍ以下コンクリート廃棄物のリサイクル製品の増産によって、現代の緊迫した社会的な課題を的確に解決せしめんとするものである。
【００２３】
４０ｍｍ以下のもの（４０〜０）としたものは、コンクリートリサイクル砕石として路盤材、各種建設資材として再生利用する。
なお、コンクリートリサイクル砕石（ＲＣ−４０）つまり、（Ｒ）再生砕石（Ｃ）クラッシャー（破砕）４０ｍｍ以下は、各種試験を土木材料試験所等に依頼して、再生砕石の品質の安定保持並びに規格に合うものとして、試験報告書（品質証明書）の総括表を別紙表１として記載する。
【００２４】
【表１】
2005034761.tif 000003
【図面の簡単な説明】
【００２５】
【図１】本発明のコンクリート廃棄物の循環式処理工程図である。
【図２】本発明のコンクリート廃棄物の循環式処理工程の詳細な構成図である。
【図３】本発明の一次処理工程図である（実施例１）
【図４】本発明の二次処理工程図である（実施例２）
【図５】本発明の三次処理工程図である（実施例３）
【符号の説明】
【００２６】
１      原料ホッパー
２      グリズリーフィーダー
３      ジョークラッシャー
４      吊り下げ式ベルト磁選機
５      吊り下げ式ベルト磁選機
６      傾斜振動篩い機
７      吊り下げ式ベルト磁選機
８      スーパーインペラー
９      集塵機
Ｂ１    コンベア
Ｂ２    コンベア
Ｂ３    メインコンベア
Ｂ４    コンベア
Ｂ５    コンベア
Ｂ６    コンベア
【図１】
2005034761.tif 000004
【図２】
2005034761.tif 000005
【図３】
2005034761.tif 000006
【図４】
2005034761.tif 000007
【図５】
2005034761.tif 000008